(57)【要約】【課題】パチンコ遊技機の風車の羽根部の回転機能を維持しつつ前面装飾部を固定状態又はこの固定を解除して回転可能な解除状態に設定する。【解決手段】前面装飾板２３，４２の支持軸２３ｂ，４３の風車取付台２１への固定を解除できる解除手段及び固定状態と固定解除状態との切り替えを制御する切り替え制御手段を設け、所定条件下で支持軸２３ｂ，４３の固定を解除させ、風車本体２２，４１との一体回転を可能にする。【選択図】図２
2007196034.tif 000002
【特許請求の範囲】
【請求項１】
遊技盤前面に取り付けられる風車取付台と、
前記風車取付台に穿設される貫通孔に挿通されて垂直に突出すると共に回転可能に支持される支持軸と、
前記支持軸に同軸的かつ回転可能に取り付けられ、同支持軸を中心として周囲に複数の羽根を有する風車本体と、
前記風車本体の前面側にて、前記支持軸の先端に同軸的に固着される前面装飾板と、
前記支持軸を風車取付台へ固定した固定状態又はこの固定を解除して回転可能な解除状態に設定することが可能な解除手段と、
前記解除手段を所定条件下で前記固定状態又は前記解除状態に切り替えるように制御する切り替え制御手段と、
を備えたことを特徴とする遊技機用風車。
【発明の詳細な説明】
【技術分野】
【０００１】
本発明は、パチンコ機等の遊技機の遊技盤前面に取り付けられる遊技機用風車に係り、特にその改良に関する。
【背景技術】
【０００２】
従来、この種の遊技機用風車としては、背面に電飾ランプを設けたランプ風車や、電飾ランプを設けない通常の風車の何れもが、前面装飾部と羽根部とが一体になっており、遊技球の衝突による羽根部の回転と一体になって風車全体が回転する構造になっていた。これにより、風車本来の機能である上部から落下する遊技球の移動方向に変化を持たせて遊技に多様性を与える機能を発揮すると共に、風車の形や色彩に応じて回転時の色彩の変化による意匠的な効果も発揮されていた。
【発明の開示】
【発明が解決しようとする課題】
【０００３】
しかし、従来の遊技機用風車は、前面装飾部と羽根部とが一体で回転するため、例えば前面装飾部に特定のデザインや文字等を静止表示したいような場合に使用するには不適当であった。また、かかる風車の構造上の制限のために、遊技盤のデザイン面でも制約を受けることがあった。本発明は、上記した問題を解決しようとするもので、羽根部の回転機能を維持しつつ前面装飾部を固定したままにできる遊技機用風車を提供することを目的とする。
【課題を解決するための手段】
【０００４】
上記目的を達成するために上記請求項１に係る発明の構成上の特徴は、遊技盤前面に取り付けられる風車取付台と、前記風車取付台に穿設される貫通孔に挿通されて垂直に突出すると共に回転可能に支持される支持軸と、前記支持軸に同軸的かつ回転可能に取り付けられ、同支持軸を中心として周囲に複数の羽根を有する風車本体と、前記風車本体の前面側にて、前記支持軸の先端に同軸的に固着される前面装飾板と、前記支持軸を風車取付台へ固定した固定状態又はこの固定を解除して回転可能な解除状態に設定することが可能な解除手段と、前記解除手段を所定条件下で前記固定状態又は前記解除状態に切り替えるように制御する切り替え制御手段と、を備えたことにある。
【０００５】
上記のように請求項１に係る発明を構成したことにより、通常時には前面装飾板は固定させ、パチンコ遊技機がいわゆる大当り状態になったときに、前面装飾板の固定を解除して回転させるようにすることができる。これにより、風車の回転に一層変化を持たせることができ、風車の装飾効果がより高められる。ここで、支持軸の解除手段としては例えば電磁石、ソレノイド等を用いることができ、これらのオンオフを制御回路により制御することにより風車の規定位置での固定と、固定の解除を行うことができる。
【発明を実施するための最良の形態】
【０００６】
以下、本発明の一実施の形態を図面を用いて説明すると、図１は第１の実施形態を適用したパチンコ遊技機の本体１０の前面側を正面図により示したものである。本体１０の前面側の上部には遊技盤１１が設けられ、遊技盤１１の周囲には、円弧状の通過レール１２ａと仕切りレール１２ｂが同心円状に設けられている。そして、通過レール１２ａと仕切りレール１２ｂに仕切られて、遊技盤１１の中央には遊技領域１１ａが設けられている。遊技領域１１ａの中央には、図柄表示装置１３が設けられている。図柄表示装置１３の上部、左右両側及び左右下側には入賞口１４ａ〜１４ｅが設けられている。また、図柄表示装置１３の直下には中央下第１種始動口１５ａが、その下には大入賞口１５ｂが、大入賞口１５ｂの左右には一対の第１種始動口１５ｃが設けられている。大入賞口１５ｂの直下は、はずれ球を回収するアウト口１６になっている。左入賞口１４ｂの左側には左電飾ランプ１７ａが、右入賞口１４ｃの右側には右電飾ランプ１７ｂが設けられている。そして、上部入賞口１４ａの左右両側には、図２に詳細に示すように、ランプ付風車２０ａ，２０ｂが設けられており、また左右入賞口１４ｂ，１４ｃの左右に各一対の平円板型風車３０ａ，３０ｂが設けられている。遊技盤面には、その他、多数の障害釘が設けられている。
【０００７】
ランプ付風車２０（２０ａ、２０ｂは同一であり、添え字ａ，ｂを省略する）は、図２及び図３に示すように、遊技盤１１の前面に取り付けられる風車取付台２１を有している。風車取付台２１は、縦長の略長円形状の樹脂製の薄板であり、中央に後述する支持軸２３ｂが挿通される中心孔２１ａを設けており、中心孔２１ａを挟んだ両横に後述するランプ２４ｃが挿通される一対のランプ孔２１ｂを設けている。風車取付台２１の背面側の中心孔２１ａ位置には、円筒形の支持筒部２１ｃが立設されている。また、風車取付台２１の背面側のランプ孔２１ｂとの直交位置には、後述するランプ基盤２４を支持する一対の支持軸２１ｄ，２１ｅを設けている。支持軸２１ｄは、先端に係合突起２１ｄ1を設けており、支持軸２１ｅは、図４（ｃ）に示すように、軸心位置にねじ溝２１ｅ1を設けている。風車取付台２１の前方には、風車本体２２が設けられる。
【０００８】
風車本体２２は、樹脂製の略円筒形状であり、一端面がすり鉢状にへこんだ凹部２２ａになっており、他端側が開放されている。凹部２２ａの軸心位置には、図４（ｃ）に示すように、筒状で支持軸２３ｂが挿通される貫通孔２２ｂ1を有する中心筒部２２ｂが設けられている。中心筒部２２ｂは、風車本体２２の他端側から少し突出しており、先端２２ｂ2が円錐形状に切り欠かれている。風車本体２２の周壁には、図３及び図４（ａ）に示すように、断面円弧状に膨出した３個の羽根部２２ｃが等間隔で形成されている。風車本体２２の前方には、前面装飾板２３が配設される。
【０００９】
前面装飾板２３は、図３に示すように、樹脂製の円板２３ａを設けており、円板２３ａの前面２３ａ1には数字、文字、図形等の表示情報Ｇが印刷等により形成されている。円板２３ａの外径は、風車本体２２の外径よりやや小さくなっており、遊技盤面を落下する遊技球が、円板２３ａに当たることなく風車本体２２にのみ当たることにより、円板２３ａに損傷を与えることなく風車本体２２を円滑に回転させることができるようになっている。円板２３ａの背面側の軸心位置には、筒状の支持凸部２３ａ2が立設されており、支持凸部２３ａ2の径は、風車本体２２の中心筒部２２ｂと略同一になっている。支持凸部２３ａ2には支持軸２３ｂが挿入固定されている。支持軸２３ｂは、先端側から長手方向にかけての一部が軸方向に切り欠かれた係合部２３ｂ1を設けている。
【００１０】
風車取付台２１後方には、ランプ基盤２４が設けられる。ランプ基盤２４は、図３に示すように、プリント基板である円板２４ａを設けており、中央に上記支持軸２３ｂの径より大きな径の中心孔２４ａ1を設けており、中心孔２４ａ1 を挟んだ両横に一対のランプソケット２４ｂが立設されている。ランプソケット２４ｂにはランプ２４ｃが装着されている。円板２４ａのランプソケット２４ｂとの直交位置には、図４（ｃ）に示すように、一対の取付孔２４ｄ，２４ｅが貫通して設けられている。
【００１１】
つぎに、ランプ付風車２０の組立について説明する。まず、前面装飾板２３の支持軸２３ｂを風車本体２２の貫通孔２２ｂ1の挿嵌し、さらに風車取付台２１の中心孔２１ａの挿嵌する。つぎに、風車取付台２１の背面側から突出した支持軸２３ｂをランプ基盤２４の中心孔２４ａ1に挿入し、風車取付台２１のランプ孔２１ｂにランプ２４ｃを挿入する。同時に、風車取付台２１の支持軸２１ｄ，２１ｅをランプ基盤２４の取付孔２４ｄ，２４ｅに位置合わせし、取付孔２４ｄに支持軸２１ｄの係合突起２１ｄ1を嵌め合わせ、取付孔２４ｅにてねじ２４ｅ1により支持軸２１ｅを止めることにより、風車取付台２１をランプ基盤２４に固定する。また、支持軸２３ｂの先端を止め具２４ｆで固定することにより、支持軸２３ｂが風車取付台２１に固定される。このように組み立てられたランプ付風車２０は、遊技盤１１に設けた取付孔（図示しない）に風車取付台２１を位置合わせし、風車取付台２１の左右両端に設けた一対の取付孔２１ｆを用いてボルト（図示しない）止めすることにより、遊技盤１１面に取り付けられる。
【００１２】
以上のように構成したランプ付風車２０においては、遊技盤面を落下する遊技球が風車に当たると、風車本体２２が支持軸２３ｂを中心にして回転し、遊技球の運動に変化を与える。そのとき、前面装飾板２３は、支持軸２３ｂにより風車取付台２１に固定されており回転しないので、前面に表示した特定のデザインや文字等の表示情報Ｇを明確な状態で表示し続けることができる。そのため、風車の機能を維持しつつ、常時、風車により特定の表示を行うことができる。また、ランプ付風車２０のデザインを遊技盤全体のデザインに調和させるようにすることもできる。また、従来のランプ付風車２０は、風車本体２２の貫通孔２２ｂ1に支持軸２３ｂを挿入した際、支持軸２３ｂの頭部にシールを貼るが、本実施形態では前面装飾板２３で支持軸２３ｂを押さえるようになっているので、シールを貼る手間が省け、風車の取り付けが簡便になる。なお、前面装飾板２３は、支持軸２３ｂの頭部にシールを貼っている風車に取り付けることも可能である。
【００１３】
つぎに、第２の実施形態について説明する。第２の実施形態においては、ランプなしの平円板型風車に対しても本発明を適用したものである。平円板型風車４０は、図５に示すように、風車本体４１と前面装飾板４２を設けている。風車本体４１は、貫通孔４１ｂを有する中心軸４１ａとその外周面に周方向に等間隔で径方向に突出した複数枚（本例では４枚）の平板形状の羽根４１ｃとを設けている。ただし、羽根４１ｃの形状については平板形に限るものではない。前面装飾板４２は、円形で外径が羽根４１ｃの先端より小さくされており、裏面中心に垂直に支持軸４３が取り付けられている。平円板型風車４０は、支持軸４３を風車本体４１の貫通孔４１ｂに挿入し、先端部を遊技盤１１に打ち付けて固定することにより遊技盤面に取り付けられる。
【００１４】
平円板型風車４０についても、上記第１の実施形態に示したランプ風車と同様に、前面装飾板４２に表示した特定のデザインや文字等の表示情報Ｇを明確な状態で表示し続けることができ、風車の機能を維持しつつ、常時、風車により特定の表示を行うことができる。また、風車のデザインを遊技盤全体のデザインに調和させるようにすることもできる。なお、風車本体と前面板とが一体になった従来の平円板型風車の支持軸先端に別途用意した前面装飾板を固定させるようにすることもできる。
【００１５】
なお、上記各実施形態においては、前面装飾板２３，４２は、常に固定されるようになっているが、例えば支持軸２３ｂ，４３の風車取付台または遊技盤への固定を解除できる解除手段及び固定状態と固定解除状態との切り替えを制御する切り替え制御手段を設け、所定条件下で支持軸２３ｂ，４３の固定を解除させ、風車本体２２，４１との一体回転を可能にすることもできる。例えば、通常時には前面装飾板２３，４２は固定させ、パチンコ遊技機がいわゆる大当り状態になったときに、前面装飾板２３，４２の固定を解除して回転させるようにすることができる。これにより、風車の回転に一層変化を持たせることができ、風車の装飾効果がより高められる。ここで、支持軸２３ｂ，４３の解除手段としては例えば電磁石、ソレノイド等を用いることができ、これらのオンオフを制御回路により制御することにより風車の規定位置での固定と、固定の解除を行うことができる。
【００１６】
なお、上記実施形態においては、本発明の風車をいわゆる第１種パチンコ遊技機に適用した場合について説明しているが、他のパチンコ遊技機やアレンジ遊技機に用いる風車に対しても同様に適用することができる。
【図面の簡単な説明】
【００１７】
【図１】本発明の一実施形態に係るパチンコ遊技機を概略的に示す正面図である。
【図２】ランプ付風車を概略的に示す斜視図である。
【図３】ランプ付風車を概略的に示す分解斜視図である。
【図４】ランプ付風車を概略的に示す正面図、側面図、及びIV−IV方向断面図である。
【図５】第２の実施形態である平円板型風車を概略的に示す分解斜視図である。
【符号の説明】
【００１８】
１０…本体、１１…遊技盤、１１ａ…遊技領域、２０ａ，２０ｂ…ランプ付風車、２１…風車取付台、２１ａ…中心孔、２１ｂ…ランプ孔、２１ｃ…支持筒部、２１ｄ，２１ｅ…支持軸、２１ｄ1…係合突起、２１ｅ1 …ねじ溝、２２…風車本体、２２ａ…凹部、２２ｂ…中心筒部、２２ｂ1…貫通孔、２２ｂ2 …先端、２２ｃ…羽根部、２３…前面装飾板、２３ａ…円板、２３ａ1…前面、２３ａ2…支持凸部、２３ｂ…支持軸、２３ｂ1 …係合部、２４…ランプ基盤、２４ａ…円板、２４ａ1…中心孔、２４ｂ…ランプソケット、２４ｃ…ランプ、２４ｄ，２４ｅ…取付孔、２４ｅ1…ねじ、２４ｆ…止め具、３０ａ，３０ｂ，４０…平円板型風車、４１…風車本体、４２…前面装飾板、４３…支持軸、Ｇ…表示情報。
【図１】
2007196034.tif 000003
【図２】
2007196034.tif 000004
【図３】
2007196034.tif 000005
【図４】
2007196034.tif 000006
【図５】
2007196034.tif 000007